(57)【要約】【課題】予め設定変更対象の装置に関する情報を保持しておかなくても、選択された設定変更対象の装置に対してのみ設定変更を行うことを可能とする。【解決手段】接続部３７には、設定変更対象の装置を識別するための識別情報１０２が格納されたＵＳＢメモリ１００が装着される。制御部３２は、接続部３７に装着されたＵＳＢメモリ１００に格納されている識別情報１０２と、ＢＬＥ送受信部３３で受信した設定変更情報に含まれる識別情報とが一致した場合に、ＢＬＥ送受信部３３で受信した設定変更情報により自装置の設定を変更するよう制御する。【選択図】図６
2019164612.tif 000002
【特許請求の範囲】
【請求項１】
第１の他の装置から装置の設定を変更する設定変更情報を、予め通信相手を特定する必要がない通信方式であるＢＬＥ通信により受信する受信手段と、
前記受信手段で受信した設定変更情報により自装置の設定を変更する設定変更手段と、
前記受信手段で受信した設定変更情報をＢＬＥ通信により第２の他の装置に送信する送信手段と、
装置本体に脱着可能な記憶装置が装着され、前記記憶装置に記憶されている設定変更対象の装置を識別するための識別情報と、前記受信手段で受信した設定変更情報に含まれる識別情報とが一致した場合に、前記受信手段で受信した設定変更情報により自装置の設定を変更するよう前記設定変更手段を制御する制御手段と、
を備えた情報処理装置。
【請求項２】
前記制御手段は、前記記憶装置に記憶されている識別情報と、前記受信手段で受信した設定変更情報に含まれる識別情報とが一致しない場合に、前記受信手段で受信した設定変更情報により自装置の設定を変更しないように制御する請求項１記載の情報処理装置。
【請求項３】
前記制御手段は、前記受信手段で受信した設定変更情報に識別情報が含まれている場合であって、前記記憶装置が装置本体に装着されていない場合には、前記受信手段で受信した設定変更情報により自装置の設定を変更しないように制御する請求項１記載の情報処理装置。
【請求項４】
前記制御手段は、前記記憶装置に、前記受信手段で受信した設定変更情報を第２の他の装置に送信しないようにする制限情報が含まれている場合には、前記受信手段で受信した設定変更情報を前記第２の他の装置に送信しないように制御する請求項１又は２記載の情報処理装置。
【請求項５】
情報を表示する表示手段と、
他装置の設定変更情報の入力を受け付ける受付手段と、
前記受付手段で受け付けた設定変更情報を、各装置を識別するための識別情報を含めて、予め通信相手を特定する必要がない通信方式であるＢＬＥ通信により他装置に送信する送信手段と、
前記送信手段で送信された設定変更情報に含まれる識別情報と記憶装置に記憶されている識別情報とが一致した装置から、ＢＬＥ通信により送信される設定変更対象の装置であることの通知を受信する受信手段と、
前記受信手段により受信された設定変更対象の装置であることの通知に基づいて、設定変更対象の装置であることを前記表示手段に表示するよう制御する制御手段と、
を備えた端末装置。
【請求項６】
前記設定変更情報により装置の設定を変更した装置から、ＢＬＥ通信により送信される設定変更の完了通知を受信する受信手段と、
前記受信手段により受信された設定変更の完了通知に基づいて、他装置の設定変更の完了状態を前記表示手段に表示するよう制御する制御手段と、
を備えた請求項５記載の端末装置。
【請求項７】
予め通信相手を特定する必要がない通信方式であるＢＬＥ通信を介した網目状ネットワークにより相互に接続された複数の装置により構成され、
前記装置は、それぞれ、
第１の他の装置から装置の設定を変更する設定変更情報を、予め通信相手を特定する必要がない通信方式であるＢＬＥ通信により受信する受信手段と、
前記受信手段で受信した設定変更情報により自装置の設定を変更する設定変更手段と、
前記受信手段で受信した設定変更情報をＢＬＥ通信により第２の他の装置に送信する送信手段と、
装置本体に脱着可能な記憶装置が装着され、前記記憶装置に記憶されている各装置を識別するための識別情報と、前記受信手段で受信した設定変更情報に含まれる識別情報とが一致した場合に、前記受信手段で受信した設定変更情報により自装置の設定を変更するよう前記設定変更手段を制御する制御手段と、
を備えた情報処理システム。
【請求項８】
前記制御手段は、前記記憶装置に、前記受信手段で受信した設定変更情報を第２の他の装置に送信しないようにする制限情報が含まれている場合には、前記受信手段で受信した設定変更情報を前記第２の他の装置に送信しないように制御する請求項７記載の情報処理システム。
【発明の詳細な説明】
【技術分野】
【０００１】
本発明は、情報処理装置、端末装置および情報処理システムに関する。
【背景技術】
【０００２】
特許文献１には、ホスト端末局および会議に参加するグループメンバ全員の端末が、会議のホストを含めた会議参加者全員の名前および端数アドレス情報を記載した会議グループメンバリストファイルを所持しており、会議開催者は開催する会議において独自のキーコードを決定し会議メンバに伝える手段を、データ送信端末は会議においてデータを送信する際にデータパケットの先端部にキーコードを付与してデータを送信するキーコード付与手段を、データ受信端末はデータを受信する際にキーコードを確認して、自分の会議のデータか否かを識別するデータ識別手段を、会議開催者は会議端末が会議から離脱する毎にその会議キーコードを変えて会議メンバに伝える手段を有する通信制御方法が開示されている。
【０００３】
特許文献２には、互いに１対１で通信する複数の通信ノードでメッシュネットワークを形成してネットワーク通信を行う通信システムであって、通信ノードは、通信ノードのグループ分けに関する情報が記載されたグルーピングファイルを保持する手段と、グルーピングファイルに基づいてメッシュネットワークの通信に関する設定情報が記載されたネットワーク設定ファイルを管理者ノードから取得する手段と、設定情報に従って受信データを他の通信ノードに転送する手段とを備える通信システムが開示されている。
【先行技術文献】
【特許文献】
【０００４】
【特許文献１】特開平１０−２５７０６４号公報
【特許文献２】特開２００８−３０１１８５号公報
【発明の概要】
【発明が解決しようとする課題】
【０００５】
本発明の目的は、予め設定変更対象の装置に関する情報を保持しておかなくても、選択された設定変更対象の装置に対してのみ設定変更を行うことが可能な情報処理装置、端末装置および情報処理システムを提供することである。
【課題を解決するための手段】
【０００６】
［情報処理装置］
請求項１に係る本発明は、第１の他の装置から装置の設定を変更する設定変更情報を、予め通信相手を特定する必要がない通信方式であるＢＬＥ通信により受信する受信手段と、
前記受信手段で受信した設定変更情報により自装置の設定を変更する設定変更手段と、
前記受信手段で受信した設定変更情報をＢＬＥ通信により第２の他の装置に送信する送信手段と、
装置本体に脱着可能な記憶装置が装着され、前記記憶装置に記憶されている設定変更対象の装置を識別するための識別情報と、前記受信手段で受信した設定変更情報に含まれる識別情報とが一致した場合に、前記受信手段で受信した設定変更情報により自装置の設定を変更するよう前記設定変更手段を制御する制御手段と、を備えた情報処理装置である。
【０００７】
請求項２に係る本発明は、前記制御手段は、前記記憶装置に記憶されている識別情報と、前記受信手段で受信した設定変更情報に含まれる識別情報とが一致しない場合に、前記受信手段で受信した設定変更情報により自装置の設定を変更しないように制御する請求項１記載の情報処理装置である。
【０００８】
請求項３に係る本発明は、前記制御手段は、前記受信手段で受信した設定変更情報に識別情報が含まれている場合であって、前記記憶装置が装置本体に装着されていない場合には、前記受信手段で受信した設定変更情報により自装置の設定を変更しないように制御する請求項１記載の情報処理装置である。
【０００９】
請求項４に係る本発明は、前記制御手段は、前記記憶装置に、前記受信手段で受信した設定変更情報を第２の他の装置に送信しないようにする制限情報が含まれている場合には、前記受信手段で受信した設定変更情報を前記第２の他の装置に送信しないように制御する請求項１又は２記載の情報処理装置である。
【００１０】
［端末装置］
請求項５に係る本発明は、情報を表示する表示手段と、
他装置の設定変更情報の入力を受け付ける受付手段と、
前記受付手段で受け付けた設定変更情報を、各装置を識別するための識別情報を含めて、予め通信相手を特定する必要がない通信方式であるＢＬＥ通信により他装置に送信する送信手段と、
前記送信手段で送信された設定変更情報に含まれる識別情報と記憶装置に記憶されている識別情報とが一致した装置から、ＢＬＥ通信により送信される設定変更対象の装置であることの通知を受信する受信手段と、
前記受信手段により受信された設定変更対象の装置であることの通知に基づいて、設定変更対象の装置であることを前記表示手段に表示するよう制御する制御手段と、を備えた端末装置である。
【００１１】
請求項６に係る本発明は、前記設定変更情報により装置の設定を変更した装置から、ＢＬＥ通信により送信される設定変更の完了通知を受信する受信手段と、前記受信手段により受信された設定変更の完了通知に基づいて、他装置の設定変更の完了状態を前記表示手段に表示するよう制御する制御手段と、を備えた請求項５記載の端末装置である。
【００１２】
［情報処理システム］
請求項７に係る本発明は、予め通信相手を特定する必要がない通信方式であるＢＬＥ通信を介した網目状ネットワークにより相互に接続された複数の装置により構成され、
前記装置は、それぞれ、
第１の他の装置から装置の設定を変更する設定変更情報を、予め通信相手を特定する必要がない通信方式であるＢＬＥ通信により受信する受信手段と、
前記受信手段で受信した設定変更情報により自装置の設定を変更する設定変更手段と、
前記受信手段で受信した設定変更情報をＢＬＥ通信により第２の他の装置に送信する送信手段と、
装置本体に脱着可能な記憶装置が装着され、前記記憶装置に記憶されている各装置を識別するための識別情報と、前記受信手段で受信した設定変更情報に含まれる識別情報とが一致した場合に、前記受信手段で受信した設定変更情報により自装置の設定を変更するよう前記設定変更手段を制御する制御手段と、を備えた情報処理システムである。
【００１３】
請求項８に係る本発明は、前記制御手段は、前記記憶装置に、前記受信手段で受信した設定変更情報を第２の他の装置に送信しないようにする制限情報が含まれている場合には、前記受信手段で受信した設定変更情報を前記第２の他の装置に送信しないように制御する請求項７記載の情報処理システムである。
【発明の効果】
【００１４】
請求項１に係る本発明によれば、予め設定変更対象の装置に関する情報を保持しておかなくても、選択された設定変更対象の装置に対してのみ設定変更を行うことが可能な情報処理装置を提供することができる。
【００１５】
請求項２に係る本発明によれば、設定変更情報を受信した場合であっても、選択された設定変更対象の装置でない装置の設定を変更しないようにすることが可能な情報処理装置を提供することができる。
【００１６】
請求項３に係る本発明によれば、設定変更情報を受信した場合であっても、選択された設定変更対象の装置でない装置の設定を変更しないようにすることが可能な情報処理装置を提供することができる。
【００１７】
請求項４に係る本発明によれば、設定変更情報が送信される範囲を制限することが可能な情報処理装置を提供することができる。
【００１８】
請求項５に係る本発明によれば、予め設定変更対象の装置に関する情報を保持しておかなくても、設定変更対象の装置を選択して設定変更を行うことが可能な端末装置を提供することができる。
【００１９】
請求項６に係る本発明によれば、装置の設定変更の完了状態を確認することが可能な端末装置を提供することができる。
【００２０】
請求項７に係る本発明によれば、予め設定変更対象の装置に関する情報を保持しておかなくても、選択された設定変更対象の装置に対してのみ設定変更を行うことが可能な情報処理システムを提供することができる。
【００２１】
請求項８に係る本発明によれば、設定変更情報が送信される範囲を制限することが可能な情報処理システムを提供することができる。
【図面の簡単な説明】
【００２２】
【図１】本発明の一実施形態における情報処理システムのシステム構成を示す図である。
【図２】（Ａ）は、画像形成装置１０Ａを示す図であって、（Ｂ）は、画像形成装置１０Ｂ〜１０ＤにＵＳＢメモリ１００が装着される様子を示す図である。
【図３】本発明の一実施形態における移動端末５０のハードウェア構成を示すブロック図である。
【図４】本発明の一実施形態における移動端末５０の機能構成を示すブロック図である。
【図５】本発明の一実施形態における画像形成装置１０Ａ〜１０Ｄのハードウェア構成を示すブロック図である。
【図６】本発明の一実施形態における画像形成装置１０Ａ〜１０Ｄの機能構成を示すブロック図である。
【図７】オフィス内に並べられた特定の画像形成装置１０Ｃ〜１０Ｅに対して同じ内容の設定変更を実行しようとする際の様子を説明するための図である。
【図８】移動端末５０において表示される表示例を示す図である。
【図９】移動端末５０において表示される表示例を示す図である。
【図１０】設定変更対象が複数種類ある場合の動作について説明するための図である。
【図１１】オフィス内に並べられた多数の画像形成装置１０Ａ〜１０Ｋのうち範囲Ｓ内に設置された画像形成装置１０Ａ〜１０Ｇに対して同じ内容の設定変更を実行しようとする際の様子を説明するための図である。
【発明を実施するための形態】
【００２３】
次に、本発明の実施の形態について図面を参照して詳細に説明する。
【００２４】
図１は本発明の一実施形態における情報処理システムのシステム構成を示す図である。
【００２５】
本発明の一実施形態における情報処理システムは、図１に示されるように、複数の画像形成装置１０Ａ〜１０Ｄと、パーソナルコンピュータ（以下、パソコンと略す。）等の端末装置２０、３０と、プリンタ４０と、スマートフォンやタブレット端末等の移動端末５０とが近距離無線通信規格であるブルートゥース（登録商標）の低消費電力の通信モードであるＢＬＥ（Bluetooth Low Energy）通信により相互に接続されている。
【００２６】
ここで、画像形成装置１０Ａ〜１０Ｄは、印刷（プリント）機能、スキャン機能、複写（コピー）機能、ファクシミリ機能等の複数の機能を有するいわゆる複合機と呼ばれる装置である。
【００２７】
図１に示した情報処理システムでは、複数の画像形成装置１０Ａ〜１０Ｄ、端末装置２０、３０、プリンタ４０、移動端末５０は、ＢＬＥ通信によってそれぞれの装置間が接続されることによりメッシュ（網目状）ネットワークが構成されている。
【００２８】
このメッシュネットワーク技術とは、複数のノード間におけるデータのルーティング技術であり、メッシュネットワークは、一部のノードにおいて故障等の障害が発生して経路の一部が使用不能となった場合でも、他の経路を利用してノード間でデータの転送が行われるように構成されている。
【００２９】
なお、このようなメッシュネットワークを構築するために、連携する他の装置に関する情報を各装置間で保持しておく必要はない。単にメッシュネットワークを構築しているいずれかの装置との間でＢＬＥ通信が可能な範囲に、ＢＬＥ通信機能を備えた装置を移動させるだけで、その装置もメッシュネットワークに含まれることになり、他の装置とともにメッシュネットワークを構成することになる。
【００３０】
つまり、本発明の情報処理システムは、予め通信相手を特定する必要がない通信方式であるＢＬＥ通信を介したメッシュネットワークにより相互に接続された複数の画像形成装置１０Ａ〜１０Ｄ、端末装置２０、３０、プリンタ４０、移動端末５０等の複数の装置により構成されている。
【００３１】
そして、このＢＬＥ通信には、アドバタイジング機能を用いた通信方式と、ＧＡＴＴ（Generic Attribute）等のプロファイルを用いた通信方式がある。
【００３２】
いずれの通信方式も予め通信相手を特定する必要がない通信方式であるが、アドバタイジング機能を用いた通信方式では、自装置から送信したデータをどの装置が受信しているのかを特定せずに、ビーコン通信のように単にデータを周囲に対して送信する通信方式である。これに対して、ＧＡＴＴ等のプロファイルを用いた通信方式は、周囲に存在する他の装置の存在を確認して、その他の装置のプロファイルを取得して、プロファイルを取得した装置との間で１対１のデータ送受信を行う通信方式である。
【００３３】
このようにアドバタイジング機能を用いたＢＬＥ通信は、他の装置の存在に関係なく単に他の装置から受信したデータを転送するだけで良いため処理が簡単となる。これに対して、ＧＡＴＴ等のプロファイルを用いた通信方式は、他の装置の存在を確認して通信を行うため、処理が複雑になる。ただし、ＧＡＴＴ等のプロファイルを用いた通信方式では、ある程度のデータ量の送受信が可能であるが、アドバタイジング機能を用いたＢＬＥ通信では、送受信できるデータ量は少なくなる。
【００３４】
以下の説明では、本実施形態の情報処理システムにおいて、画像形成装置１０Ｂ〜１０Ｄを設定変更対象の装置として、ユーザが移動端末５０を親装置として直接操作して設定変更を実行して、その変更内容を設定変更情報として後述する識別情報を含めて他装置に送信して、設定変更対象である画像形成装置１０Ｂ〜１０Ｄの設定変更を実行する場合を用いて説明する。
【００３５】
例えば、画像読取処理の際の解像度の初期設定、節電モードに移行するための時間設定、印刷処理の際の濃度設定等様々な設定を、画像形成装置１０Ａ〜１０Ｄのうち画像形成装置１０Ｂ〜１０Ｄに対して同じ設定内容で設定しようとする場合を用いて説明する。
【００３６】
本実施形態では、設定変更対象とする画像形成装置１０Ｂ〜１０Ｄに、脱着可能な記憶装置である外部記憶装置としてのＵＳＢメモリ１００を装着することにより、画像形成装置１０Ｂ〜１０Ｄを設定変更対象とすることができる。
【００３７】
画像形成装置１０Ａ〜１０Ｄは、いずれも同様の構成となっている。また、設定変更対象でない画像形成装置１０Ａには、図２（Ａ）に示されているように、ＵＳＢメモリ１００が装着されていない。また、設定変更対象である画像形成装置１０Ｂ〜１０Ｄには、図２（Ｂ）に示されているように、ＵＳＢメモリ１００が装着されている。ＵＳＢメモリ１００には、設定変更対象の装置を識別するための識別情報１０２等が格納されている。
【００３８】
まず、本実施形態の移動端末５０のハードウェア構成を図３に示す。
【００３９】
移動端末５０は、図３に示されるように、ＣＰＵ６１、メモリ６２、ハードディスクドライブ（ＨＤＤ）等の記憶装置６３、外部の装置等との間でデータの送信及び受信を行う通信インタフェース（ＩＦ）６４、タッチパネル又は液晶ディスプレイ等のユーザインタフェース（ＵＩ）装置６５を有する。これらの構成要素は、制御バス６６を介して互いに接続されている。
【００４０】
ＣＰＵ６１は、メモリ６２または記憶装置６３に格納された制御プログラムに基づいて所定の処理を実行して、移動端末５０の動作を制御する。なお、本実施形態では、ＣＰＵ６１は、メモリ６２または記憶装置６３内に格納された制御プログラムを読み出して実行するものとして説明するが、当該プログラムを記憶媒体に格納してＣＰＵ６１に提供することも可能である。
【００４１】
図４は、上記の制御プログラムが実行されることにより実現される移動端末５０の機能構成を示すブロック図である。
【００４２】
本実施形態の移動端末５０は、図４に示されるように、表示部７１と、制御部７２と、ＢＬＥ送受信部７３と、操作受付部７４とを備えている。
【００４３】
表示部７１は、制御部７２により制御され、ユーザに各種情報を表示する。操作受付部７４は、ユーザにより行われた各種操作情報を受け付ける。なお、この表示部７１と操作受付部７４とからいわゆるタッチパネルが構成される。
【００４４】
また、操作受付部７４は、画像形成装置１０Ｂ〜１０Ｄの設定を変更する設定変更情報の入力を受け付ける。また、操作受付部７４は、この操作受付部７４で受け付けた設定変更情報に、設定変更対象とする画像形成装置１０Ｂ〜１０Ｄを識別するための識別情報を含めることができる。
【００４５】
ＢＬＥ送受信部７３は、上記で説明したＢＬＥ通信を介して他装置との間でデータの送受信を行う。
【００４６】
具体的には、ＢＬＥ送受信部７３は、操作受付部７４で受け付けた設定変更情報を、予め通信相手を特定する必要がない通信方式であるＢＬＥ通信により画像形成装置１０Ａ〜１０Ｄ等に送信する。また、ＢＬＥ送受信部７３は、操作受付部７４で受け付けた設定変更情報に、設定変更対象である画像形成装置１０Ｂ〜１０Ｄを識別するための識別情報を含めて、ＢＬＥ通信により画像形成装置１０Ａ〜１０Ｄ等に送信する。
【００４７】
また、ＢＬＥ送受信部７３は、ＢＬＥ通信により送信された設定変更情報に含まれる識別情報と、装置本体に装着されたＵＳＢメモリ１００に格納されている識別情報１０２とが一致した画像形成装置１０Ｂ〜１０Ｄから設定変更対象の装置であることの通知を受信する。
【００４８】
そして、制御部７２は、ＢＬＥ送受信部７３により受信された設定変更対象の装置であることの通知に基づいて、画像形成装置１０Ｂ〜１０Ｄが設定変更の対象であることを表示部７１に表示するよう制御する。また、制御部７２は、ＢＬＥ送受信部７３により受信された通知に基づいて、画像形成装置１０Ａが設定変更の対象でないことを表示部７１に表示するよう制御する。
【００４９】
また、ＢＬＥ送受信部７３は、画像形成装置１０Ｂ〜１０ＤからＢＬＥ通信により送信される設定変更の完了通知を受信する。
【００５０】
そして、制御部７２は、ＢＬＥ送受信部７３により受信された設定変更の完了通知に基づいて、設定変更対象である画像形成装置１０Ｂ〜１０Ｄの設定変更の完了状態を表示部７１に表示するよう制御する。
【００５１】
次に、本実施形態の画像形成装置１０Ａ〜１０Ｄのハードウェア構成を図５に示す。
【００５２】
画像形成装置１０Ａ〜１０Ｄは、図５に示されるように、ＣＰＵ１１、メモリ１２、ハードディスクドライブ（ＨＤＤ）等の記憶装置１３、外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７、ＵＳＢメモリ１００が装着（接続）されるＵＳＢインタフェース（ＩＦ）１８を有する。これらの構成要素は、制御バス１９を介して互いに接続されている。
【００５３】
プリントエンジン１７は、帯電、露光、現像、転写、定着などの工程を経て印刷用紙等の記録媒体上に画像を印刷する。
【００５４】
ＣＰＵ１１は、メモリ１２、記憶装置１３またはＵＳＢメモリ１００に格納された制御プログラムに基づいて所定の処理を実行して、画像形成装置１０Ａ〜１０Ｄの動作を制御する。なお、本実施形態では、ＣＰＵ１１は、メモリ１２、記憶装置１３またはＵＳＢメモリ１００内に格納された制御プログラムを読み出して実行するものとして説明するが、当該プログラムをＣＤ−ＲＯＭ等の外部記憶媒体に格納してＣＰＵ１１に提供することも可能である。
【００５５】
図６は、上記の制御プログラムが実行されることにより実現される画像形成装置１０Ａ〜１０Ｄの機能構成を示すブロック図である。なお、図６に示したブロック図では、本実施形態の動作に直接関係しない、画像読取機能等の各種機能については省いている。
【００５６】
本実施形態の画像形成装置１０Ａ〜１０Ｄは、それぞれ、図６に示されるように、表示部３１と、制御部３２と、ＢＬＥ送受信部３３と、操作受付部３４と、画像出力部３５と、データ格納部３６と、接続部３７とを備えている。
【００５７】
画像出力部３５は、制御部３２による制御に基づいて、印刷用紙等の記録媒体上に画像を出力する。
【００５８】
制御部３２は、ユーザからの指示に基づいて、画像出力部３５を制御して印刷処理を実行する。
【００５９】
表示部３１は、制御部３２により制御され、ユーザに各種情報を表示する。操作受付部３４は、ユーザにより行われた各種操作情報を受け付ける。なお、この表示部３１と操作受付部３４とからいわゆるタッチパネル方式の操作パネルが構成される。
【００６０】
ＢＬＥ送受信部３３は、上記で説明したＢＬＥ通信を介して他装置との間でデータの送受信を行う。
【００６１】
また、ＢＬＥ送受信部３３は、それぞれ移動端末５０や他装置から受信した識別情報が含まれた設定変更情報を、予め通信相手を特定する必要がない通信方式であるＢＬＥ通信により受信する。また、ＢＬＥ送受信部３３は、受信した識別情報が含まれた設定変更情報をＢＬＥ通信によりさらに別の他装置に送信する。
【００６２】
つまり、ＢＬＥ送受信部３３は、自装置が設定変更の対象でない場合であっても、識別情報が含まれた設定変更情報を他装置からＢＬＥ通信により受信する。また、ＢＬＥ送受信部３３は、自装置が設定変更の対象でない場合であっても、識別情報が含まれた設定変更情報を他装置にＢＬＥ通信により送信する。
【００６３】
また、ＢＬＥ送受信部３３は、設定変更情報が複数の設定変更項目を含む場合、設定変更項目ごとに設定変更情報を他装置に順次送信する。
【００６４】
データ格納部３６は、制御部３２が画像出力部３５を制御する際の各種設定情報等の各種データを格納している。
【００６５】
接続部３７には、識別情報１０２や、受信した設定変更情報を他の装置に送信しないようにする制限情報１０４等が格納されたＵＳＢメモリ１００が装着される。
【００６６】
そして、制御部３２は、ＢＬＥ送受信部３３により識別情報が含まれた設定変更情報を受信すると、それぞれ接続部３７に装着されたＵＳＢメモリ１００に格納されている識別情報１０２と、ＢＬＥ送受信部３３で受信した設定変更情報に含まれる識別情報とが一致するか否かを判定する。
【００６７】
そして、制御部３２は、接続部３７に装着されたＵＳＢメモリ１００に格納されている識別情報１０２と、ＢＬＥ送受信部３３で受信した設定変更情報に含まれる識別情報とが一致した場合に、自装置が設定変更対象の装置であることの通知を移動端末５０にＢＬＥ通信により送信するよう制御する。
【００６８】
また、制御部３２は、接続部３７に装着されたＵＳＢメモリ１００に格納されている識別情報１０２と、ＢＬＥ送受信部３３で受信した設定変更情報に含まれる識別情報とが一致した場合に、ＢＬＥ送受信部３３で受信した設定変更情報により自装置の設定を変更するよう制御する。
【００６９】
また、ＢＬＥ送受信部３３は、制御部３２における自装置の設定変更が完了した後に、他装置に設定変更情報を送信するようにしても良いし、他装置に設定変更情報を送信した後に、設定変更完了通知を送信するようにしても良い。
【００７０】
また、制御部３２は、接続部３７に装着されたＵＳＢメモリ１００に格納されている識別情報１０２と、ＢＬＥ送受信部３３で受信した設定変更情報に含まれる識別情報とが一致しない場合に、移動端末５０に自装置が設定変更の対象の装置でないことの通知を送信するよう制御する。
【００７１】
また、制御部３２は、接続部３７に装着されたＵＳＢメモリ１００に格納されている識別情報１０２と、ＢＬＥ送受信部３３で受信した設定変更情報に含まれる識別情報とが一致しない場合に、ＢＬＥ送受信部３３で受信した設定変更情報により自装置の設定を変更しないよう制御する。
【００７２】
また、制御部３２は、接続部３７にＵＳＢメモリ１００が装着されていない場合には、ＢＬＥ送受信部３３で受信した設定変更情報により自装置の設定を変更しないよう制御する。
【００７３】
また、制御部３２は、接続部３７に装着されたＵＳＢメモリ１００に、制限情報１０４が含まれている場合には、ＢＬＥ送受信部３３で受信した設定変更情報を他の装置に送信しないように制御する。
【００７４】
次に、本実施形態の情報処理システムにおける動作について図面を参照して詳細に説明する。
【００７５】
図７は、オフィス内に並べられた複数の画像形成装置１０Ａ〜１０Ｆのうち特定の画像形成装置１０Ｃ〜１０Ｅに対して同じ内容の設定変更を実行しようとする際の様子を示す図である。以下の説明では、移動端末５０を親装置として、ユーザが直接操作を行って各種設定を行い、その設定内容を設定変更対象である画像形成装置１０Ｃ〜１０Ｅに対して設定する場合を用いて説明する。
【００７６】
例えば、移動端末５０においてユーザが設定内容を変更するための設定変更情報を入力し、この設定変更情報に、設定変更対象とする装置を識別する識別情報１０２を含める。そして、識別情報１０２を含めた設定変更情報が移動端末５０からＢＬＥ通信を介して送信される。
【００７７】
そして、移動端末５０から送信された識別情報１０２を含めた設定変更情報は、画像形成装置１０Ａを経由して、画像形成装置１０Ｂ〜１０Ｆに転送される。そして、識別情報１０２を格納したＵＳＢメモリ１００が装着された画像形成装置１０Ｃ〜１０Ｅでは、自装置が設定変更対象の装置である旨の通知をＢＬＥ通信により移動端末５０に送信する。
【００７８】
すると、移動端末５０では、画像形成装置１０Ｃ〜１０Ｅにより送信された設定変更対象の装置である旨の通知を、画像形成装置１０Ａ〜１０Ｆを経由して受信する。そして、設定変更対象の装置であることの通知を受信したことにより画像形成装置１０Ｃ〜１０Ｅが設定変更対象の装置であることを把握して、例えば、ＵＩ装置６５上に図８に示すような表示を行う。図８に示した表示例では、装置Ｃ〜装置Ｅ（画像形成装置１０Ｃ〜１０Ｅ）において設定変更対象の装置である旨の表示がＵＩ装置６５上に表示されている。
【００７９】
そして、設定変更対象である画像形成装置１０Ｃ〜１０Ｅでは、受信した設定変更情報に基づいてそれぞれの装置における設定内容の変更が行われる。
【００８０】
そして、画像形成装置１０Ｃ〜１０Ｅでは、自装置における設定変更処理が完了すると、その旨を通知するための設定変更完了通知をＢＬＥ通信により移動端末５０に送信する。
【００８１】
すると、移動端末５０では、設定変更対象である画像形成装置１０Ｃ〜１０Ｅにより送信された設定変更完了通知を画像形成装置１０Ａ〜１０Ｆを経由して受信する。そして、設定変更完了通知を受信したことにより画像形成装置１０Ｃ〜１０Ｅにおいて設定変更が無事に完了したことを把握して、例えば、ＵＩ装置６５上に図９に示すような表示を行う。図９に示した表示例では、装置Ｃ及び装置Ｄ（画像形成装置１０Ｃ、１０Ｄ）において設定変更が完了した旨の表示がＵＩ装置６５上に表示され、装置Ｅ（画像形成装置１０Ｅ）において設定変更中である旨の表示がＵＩ装置６５上に表示されている。
【００８２】
ユーザは、このような表示を参照することにより、移動端末５０において行った設定変更内容が、画像形成装置１０Ｃ〜１０Ｅに対しても反映されたことを知ることができる。
【００８３】
次に、設定変更対象が複数種類ある場合の動作について図１０を用いて説明する。
【００８４】
図１０は、オフィス内に並べられた複数の画像形成装置１０Ａ〜１０Ｆのうち特定の画像形成装置１０Ｃ〜１０Ｅ（設定変更対象１）に対して、ある変更内容の設定変更１を実行し、特定の画像形成装置１０Ｂ、１０Ｅ（設定変更対象２）に対して別の変更内容の設定変更２を実行しようとする際の様子を説明するための図である。
【００８５】
具体的には、画像形成装置１０Ｃ〜１０Ｅに対しては、設定変更１として例えば濃度設定の変更を実行し、画像形成装置１０Ｂ、１０Ｅに対しては、設定変更２として例えば節電モードに移行するための時間の変更を実行する場合を例にして説明する。
【００８６】
この場合には、移動端末５０において、濃度設定の変更を実行する設定変更情報に、設定変更対象１である画像形成装置１０Ｃ〜１０Ｅを識別するための識別情報１０２を含めて生成する。また、節電モードに移行するための時間の変更を実行する設定変更情報に、設定変更対象２である画像形成装置１０Ｂ、１０Ｅを識別するための識別情報２０２を含めて生成する。そして、濃度設定の変更を実行したい画像形成装置１０Ｃ〜１０Ｅには、識別情報１０２を格納したＵＳＢメモリ１００を装着し、節電モードに移行するための時間を変更したい画像形成装置１０Ｂ、１０Ｅには、識別情報２０２を格納したＵＳＢメモリ１００を装着する。つまり、濃度設定の変更と節電モードに移行するための時間の変更の両方を変更したい設定変更対象である画像形成装置１０Ｅには、識別情報１０２と識別情報２０２が格納されたＵＳＢメモリ１００を装着する。
【００８７】
つまり、メッシュネットワークに含まれる選択された画像形成装置１０Ｃ〜１０Ｅに対して同内容の設定変更を実行することに限らず、他の装置や一部の装置に対してのみ別の設定変更を実行したい場合もあり得る。例えば、ある機種名の装置に対してのみ設定変更を行いたい場合や、納入するユーザ毎に異なる設定変更を行いたい場合等の特定の装置に対してのみ設定変更を行いたい場合がある。
【００８８】
このような場合には、ＵＳＢメモリ１００にそれぞれの設定変更に関する設定変更情報について、それぞれ設定変更対象とする識別情報を予め格納しておく。そして、設定変更情報を受信した装置では、ＵＳＢメモリ１００に格納されている設定変更対象の装置を識別するための識別情報と、ＢＬＥ通信部３３で受信した設定変更情報に含まれる識別情報とが一致した場合に、ＢＬＥ通信部３３で受信した設定変更情報により自装置の設定を変更する。
【００８９】
つまり、識別情報１０２が格納されたＵＳＢメモリ１００が装着された画像形成装置１０Ｃ〜１０Ｅでは、濃度設定の変更が実行され、識別情報２０２が格納されたＵＳＢメモリ１００が装着された画像形成装置１０Ｂ、１０Ｅでは、節電モードに移行するための時間の変更が実行されて、各装置に装着されたＵＳＢメモリ１００に格納された識別情報が一致する設定変更情報に基づいて、それぞれの装置における設定内容の変更が行われる。
【００９０】
次に、ＵＳＢメモリ１００に制限情報１０４が格納されている場合の情報処理システムについて図１１に基づいて説明する。
【００９１】
図１１に示された表示例では、オフィス内に設置された複数の画像形成装置１０Ａ〜１０Ｋのうち、画像形成装置１０Ａ〜１０Ｇを設定変更対象とする。
【００９２】
この場合に、設定変更対象とする画像形成装置１０Ａ〜１０Ｇには、識別情報１０２が格納されたＵＳＢメモリ１００を装着する。また、設定変更情報を送信したい範囲となる範囲Ｓの端に設置される画像形成装置１０Ａ〜１０ＦのＵＳＢメモリ１００には、制限情報１０４が格納される。
【００９３】
すなわち、移動端末５０は、識別情報１０２を含んだ設定変更情報をＢＬＥ通信で送信することにより、画像形成装置１０Ａ〜１０Ｇは互いにＢＬＥ通信により、識別情報１０２を含んだ設定変更情報が送受信される。
【００９４】
そして、識別情報１０２が格納されたＵＳＢメモリ１００が装着された画像形成装置１０Ａ〜１０Ｇは、移動端末５０（親装置）から送信された設定変更情報に基づいて設定変更が実行される。
【００９５】
また、制限情報１０４が格納されたＵＳＢメモリ１００が装着された画像形成装置１０Ａ〜１０Ｆは、ＢＬＥ送受信部３３により受信した設定変更情報を他の装置に送信しない。つまり、設定変更情報が送信される範囲は、範囲Ｓに制限され、情報の拡散が防止され、範囲Ｓの範囲外に設置された画像形成装置１０Ｈ〜１０Ｋには送信されないこととなる。
【００９６】
すなわち、ＢＬＥ通信が可能な範囲に、ＢＬＥ通信機能を備えた装置が設置されている場合であっても、範囲Ｓ外に設置された画像形成装置１０Ｈ〜１０Ｋはメッシュネットワークに含まれないこととなり、他の画像形成装置１０Ａ〜１０Ｇとともにメッシュネットワークを構成しないことになる。
【００９７】
[変形例]
上記実施形態では、設定変更対象の装置が主に画像形成装置の場合を用いて説明したが、本発明はこれに限定されるものではなく、設定変更対象の装置がパソコン、携帯電話装置、タブレット端末装置、テレビ等の各種情報処理装置の場合であっても同様に本発明を適用することができるものである。また、親装置が移動端末の場合を用いて説明したが、本発明はこれに限定されるものではなく、設定変更する親装置が画像形成装置、パソコン、テレビ等の各種情報処理装置の場合であっても同様に本発明を適用することができるものである。
【００９８】
また、上記実施形態では、識別情報１０２や制限情報１０４を格納したＵＳＢメモリ１００を設定変更対象である画像形成装置１０に装着して、移動端末５０により設定変更する例について説明したが、これに限らず、設定変更対象である画像形成装置１０のデータ格納部３６に、識別情報１０２や制限情報１０４を予め登録しておき、データ格納部３６に格納された識別情報と、ＢＬＥ送受信部３３により受信した設定変更情報に含まれる識別情報が一致した場合に、ＢＬＥ送受信部３３により受信した設定変更情報により自装置の設定を変更するようにしても良い。
【００９９】
また、上記実施形態では、識別情報１０２を格納したＵＳＢメモリ１００を設定変更対象である画像形成装置１０に装着して、移動端末５０により設定変更する例について説明したが、これに限らず、識別情報１０２を格納したＵＳＢメモリ１００を設定変更対象でない画像形成装置１０に装着して、このＵＳＢメモリ１００に格納された識別情報と、ＢＬＥ送受信部３３により受信した設定変更情報に含まれる識別情報が一致した場合に、ＢＬＥ送受信部３３により受信した設定変更情報により自装置の設定を変更しないようにしても良い。
【符号の説明】
【０１００】
１０Ａ〜１０Ｋ    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    ＵＳＢインタフェース（ＩＦ）
１９    制御バス
２０    端末装置
３０    端末装置
３１    表示部
３２    制御部
３３    ＢＬＥ送受信部
３４    操作受付部
３５    画像出力部
３６    データ格納部
３７    接続部
４０    プリンタ
５０    移動端末
６１    ＣＰＵ
６２    メモリ
６３    記憶装置
６４    通信インタフェース（ＩＦ）
６５    ユーザインタフェース（ＵＩ）装置
６６    制御バス
７１    表示部
７２    制御部
７３    ＢＬＥ送受信部
７４    操作受付部
１００  ＵＳＢメモリ
【図１】
2019164612.tif 000003
【図２】
2019164612.tif 000004
【図３】
2019164612.tif 000005
【図４】
2019164612.tif 000006
【図５】
2019164612.tif 000007
【図６】
2019164612.tif 000008
【図７】
2019164612.tif 000009
【図８】
2019164612.tif 000010
【図９】
2019164612.tif 000011
【図１０】
2019164612.tif 000012
【図１１】
2019164612.tif 000013